(57)【特許請求の範囲】
【請求項１】
回動する閉鎖部がばねの付勢により開口部を内側から閉鎖しつつ、壁面に固定され環部を形成した係止具に吊り下げられたフックにおいて、
前記閉鎖部の回動先端部に一端が接続された第１の紐部材と、
前記閉鎖部の回動軸側に一端が接続され、他端部が前記開口部側から前記環部を通して前記本体の前記開口部とは反対側に垂れ下げた第２の紐部材とを具備することを特徴とするフック。
【請求項２】
回動する閉鎖部がばねの付勢により本体開口部を内側から閉鎖しつつ、壁面に固定され環部を形成した係止具に吊り下げられたフックの取外し方法において、
前記閉鎖部の回動先端部に一端が接続された第１の紐部材の他端部を引っ張り、前記開口部を開ける第１の操作と、
この第１の操作を行いつつ、前記閉鎖部の前記回動軸側に一端が接続され、他端部が前記開口部側から前記係止具の環部を通して前記本体の開口部とは反対側に垂れ下げた第２の紐部材の他端部を引っ張り、前記開口部を介して、前記フック本体を前記係止具から取外す第２の操作と
からなることを特徴とするフック取外し方法。
【発明の詳細な説明】
【０００１】
【発明の属する技術分野】
この発明は、例えば建物内へのエレベータ据付け工事において、昇降路内へのエレベータ組み込み作業に好適なフック（鉤）、及びそのフックの取外し方法に関する。
【０００２】
【従来の技術】
エレベータの乗りかごやガイドレール等、いわゆるエレベータの主要部は、建物内を上下方向に複数階にわたって貫通して設けられた昇降路内に据付けられる。昇降路内には格別足場がないので、作業員は昇降路内天井から吊り下げられた作業用ゴンドラに乗って作業を行うこととなる。
【０００３】
ゴンドラが昇降路内を昇降移動するためには、例えば、ゴンドラの台枠にロープ巻取機を搭載し、その巻取機により天井壁に吊下げたゴンドラ用ロープの巻取りあるいは巻き戻し操作により行なわれる。そのゴンドラ用ロープや命綱等の作業用補助ロープを昇降路天井壁から吊り下げるために、従来は、図５に示すように、ゴンドラ用ロープ１や補助ロープ２をシャクル（ｓｈａｃｌｅ）３を介してフック（鉤）４に接続し、そのフック４を、天井壁５のほぼ中央部に埋め込み固定されたＵ字状金具等からなる係止具５１に掛けていた。
【０００４】
フック４は、図６にその要部を拡大して示したように、ばねの付勢により本体の開口部４ａを内側から閉鎖するように回動したピン状の閉鎖部４１を有し、この閉鎖部４１が外れ止めとなって、環部を形成した係止具５１に掛けられて吊り下げられる。
【０００５】
そこで、作業員がゴンドラ用ロープ１等を接続した重いフック４を係止具５１に掛けるために、図５に示したように昇降路内に足場６が組み立てられた。
【０００６】
このように、昇降路内でのエレベータの据付け工事では、作業員による実際の組み立て作業に先立ち、作業用ゴンドラの据付けが行われるが、作業員がゴンドラに乗り込んでの据付作業を終了して、エレベータ乗りかごを搬入して組み込むために、ゴンドラ及びゴンドラ用ロープ１等を取外し搬出する必要があり、そのため再び作業用足場６の搬入、組み立てを必要とした。
【０００７】
もっとも、昇降路内のエレベータの構造によっては、フック４を取外してのゴンドラ用ロープ１や補助ロープ２の回収作業は、作業員がその後据え付けられたエレベータ乗りかごの上に乗って行うこともできる場合もある。
【０００８】
【発明が解決しようとする課題】
上記のように、エレベータの据付け作業に際し、用済み後のフック（鉤）を天井壁の係止具から取り外して回収するのに、昇降路内に足場の搬入組み立てを行う必要があり、作業の安全確保とエレベータ据付け工事の効率化の点から改善が要望されていた。
【０００９】
【課題を解決するための手段】
この発明は、上記従来の課題を解決するためになされたもので、請求項１に記載の発明は、回動する閉鎖部がばねの付勢により開口部を内側から閉鎖しつつ、壁面に固定され環部を形成した係止具に吊り下げられたフックにおいて、前記閉鎖部の回動先端部に一端が接続された第１の紐部材と、前記閉鎖部の回動軸側に一端が接続され、他端部が前記開口部側から前記環部を通して前記本体の前記開口部とは反対側に垂れ下げた第２の紐部材とを具備することを特徴とする。
【００１０】
このように請求項１記載のフックは、第１の紐部材と第２の紐部材とを有し、第１の紐部材の他端部を引っ張ることによって、フック本体の開口部が開き、それに合わせて第２の紐部材を引っ張ることができるので、フック本体が回動し、開いた開口部から係止具を外すことができる。
【００１１】
従って作業員は、ゴンドラ用ロープや補助ロープの取外し回収作業に、従来のように、格別昇降路内に足場を組上げてその上で作業することなく、たとえば最上階の乗り場ホールの躯体に立って、第１及び第２の紐を操作することにより、係止具からのフック取外しにより安全かつ容易に行うことができる。
【００１２】
請求項２に記載の発明は、回動する閉鎖部がばねの付勢により本体開口部を内側から閉鎖しつつ、壁面に固定され環部を形成した係止具に吊り下げられたフックの取外し方法において、前記閉鎖部の回動先端部に一端が接続された第１の紐部材の他端部を引っ張り、前記開口部を開ける第１の操作と、この第１の操作を行いつつ、前記閉鎖部の前記回動軸側に一端が接続され、他端部が前記開口部側から前記係止具の環部を通して前記本体の開口部とは反対側に垂れ下げた第２の紐部材の他端部を引っ張り、前記開口部を介して、前記フック本体を前記係止具から取外す第２の操作とからなることを特徴とする。
【００１３】
このように、請求項２に記載の発明では、第１の操作と第２の操作とにより、長く延ばした第１及び第２の紐を操作するだけで、フックを係止具から取外すことができるので、第１の発明と同様に、作業員は、格別昇降路内に足場を設けることなく、たとえば最上階の乗り場ホールに立って、フックを係止具から取外し、ゴンドラ用ロープや作業用補助ロープを安全かつ容易に回収することができる。
【００１４】
【発明の実施の形態】
以下この発明によるフック（鉤）及びフック取外し方法の一実施の形態を図１ないし図４を参照して詳細に説明する。なお、図５及び図６に示した従来の構成と同一構成には同一符号を付して詳細な説明は省略する。
【００１５】
図１は、本発明によるフックの一実施の形態を示した斜視図である。
【００１６】
すなわち、図１に示したように、フック４は、回動するピン状の閉鎖部４１が不図示のばねの付勢により開口部４ａを内側から閉鎖しつつ、天井壁５に埋め込み固定されたＵ字状金具の係止具５１に吊り下げられている。
【００１７】
閉鎖部４１の先端部には一端がビニールテープ等で固定された第１の紐部材７が接続され、この第１の紐部材７は、図示しないが、少なくとも他端部は最上階の乗り場ホールまで届く長さを有している。
【００１８】
また、フック４の閉鎖部４１の回動軸側は、ゴンドラ用ロープ１や補助ロープ２を連結したシャクル３がボルト４２を介してフック４の本体部に連結されるように構成されていて、そのボルト４２に第２の紐部材８の一端が接続され、他端部は、少なくとも最上階の乗り場ホールまでの距離を往復するだけの長さを有している。
【００１９】
そして、その第２の紐部材８は、図示のようにフック４の開口部４ａ側から回して係止具５１によって形成された環部を通して垂れ下げられる。
【００２０】
上記第１及び第２の紐部材７，８を接続したフック４は、昇降路に組み立てられた足場６上から、作業員によって係止具５１に掛けられる、さらに、フック４に接続されたゴンドラ用ロープ１にはゴンドラが吊り下げられ、そのゴンドラ内に作業員が乗り込み、昇降路内を昇降移動しつつエレベータの組み立て作業が行われる。
【００２１】
なおここで、作業用補助ロープ２を除き、フック４に接続された第１及び第２の各紐部材７，８は、昇降路内に垂れ下がった状態では、エレベータの据付け作業上の邪魔になるので、巻き込んでシャクル３等に掛けておくのが良い。
【００２２】
さて、作業員によるガイドレール等の組み立て作業が終了後は、作業員は、ゴンドラを昇降路底部のピットまで降ろし、ゴンドラ用ロープ１から解き降ろすとともに、不要となったゴンドラ用ロープ１や作業用補助ロープ２も、フック４ともども係止具５１から取外し回収する必要がある。そこで、フック４を回収する手順を図１ないし図４を参照して説明する。
【００２３】
なお、ゴンドラをゴンドラ用ロープ１から外される前に作業員は、フック４の第１及び第２の紐部材７，８を図１に示す状態に解きほぐし、各紐部材７，８の他端部は最上階のエレベータホールまで運ばれているものとする。
【００２４】
そこで、最上階のエレベータホールやその躯体上で作業員は、第１及び第２の紐部材７，８の他端部を確保した状態で、図２に示すように第１の紐部材７を矢印方向に引っ張り、フック４の閉鎖部４１を内側に倒し、開口部４ａを開ける。
【００２５】
開口部４ａが開いた状態で作業員は、図３に示すように、第２の紐部材８を矢印方向に引っ張り、フック４を係止具５１回りに持ち上げ、フック４を係止具５１から引き離す。
【００２６】
フック４が係止具５１から離れたとき、図４に示すように、作業員は第２の紐部材８を緩めつつ、第１の紐部材７を手繰り寄せ、作業員の手元にフック４を回収する。
【００２７】
このように、この実施の形態によれば、ゴンドラをゴンドラ用ロープ１から解き放した後、フック４を回収するのに、格別昇降路内に足場６を組み上げる必要がなく、昇降路天井に最も近い最上階のエレベータホール側に立って回収できるので、エレベータの据付け工事の作業効率の向上を図ることができ、工期を短縮することができる。
【００２８】
なお、上記実施の形態において、第１及び第２の紐部材７，８は、ロープ状でも鎖状でも良い。
【００２９】
また、第１の紐部材７と第２の紐部材８とは、上記のように、開口部４ａを開口させた状態で、重いフック４を回転させるように操作してフックの取外しが行われる。フック４を回転させるためには、閉鎖部４１の先端部に接続された一方の第１の紐部材７に対し、他方の第２の紐部材８は閉鎖部４１の先端から離れた下方の軸側に接続されていれば良く、そのためには第２の紐部材８の接続位置は、必ずしもボルト４２に限らず、ボルト４２を通したフック４の穴あるいはフック４に連結されたシャクル３等に接続しても同様に作用させることができる。
【００３０】
また、第１の紐部材７は閉鎖部４１を開放させるものであるが、それと同時にフック４回収に際して重いフック４を吊下げることとなる。そこで、フック４の閉鎖部４１が第１の紐部材７から万が一にも外れることがないように、図示しないが、第１の紐部材７の他端部を予めフック４の穴あるいはフック４に連結されたシャクル３等にしっかりと固定して置くのが良い。
【００３１】
いずれにしても、本発明のフック及びフック取外し方法によれば、閉鎖部４１の先端部に一端が接続された第１の紐部材７の他端部を引っ張ってフック開口部４ａを開けるとともに、その先端部とは離れた下方の閉鎖部４１の回動軸側に一端が接続され、かつ開口部４ａ側から係止具の環部を通した第２の紐部材８を引っ張るように構成することによって、作業員は遠隔操作により安全にフック４の取外し回収を行うことができる。
【００３２】
【発明の効果】
この発明のフック及びフック取外し方法によれば、エレベータの据付け工事等において、ゴンドラ吊下げ用ロープを連結して、昇降路天井壁に係止したフックを簡単かつ安全に回収することができるとともに据付け工事の効率化が図られ、実用に際し顕著な効果を得ることができる。
【図面の簡単な説明】
【図１】この発明によるフックの一実施の形態を示す斜視図である。
【図２】図１に示すフックの取外しに際し、開口部を開ける状態を示した斜視図である。
【図３】図２に続き、フックの取外しに際し、フックが係止具から外れる状態を示した斜視図である。
【図４】図３に続き、フックの取外しに際し、フックが係止具から外れて回収される状態を示した斜視図である。
【図５】従来のフック取外し作業を説明する昇降路内の断面図である。
【図６】図５の要部拡大斜視図である。
【符号の説明】
１  ゴンドラ用ロープ
２  補助ロープ
３  シャクル
４  フック
４ａ  開口部
４１  閉鎖部
４２  ボルト
５  （昇降路）天井壁
５１  係止具
６  足場
７  第１の紐部材
８  第２の紐部材
【図１】
0004188523.tif 000002
【図２】
0004188523.tif 000003
【図３】
0004188523.tif 000004
【図４】
0004188523.tif 000005
【図５】
0004188523.tif 000006
【図６】
0004188523.tif 000007